(57)【要約】【課題】本発明は、リアクション録画を求められるビデオメール視聴者の撮影に関する緊張区間を限定でき、またリアクション録画を求める以外の再生区間の映像・音声はリアクションビデオメールに含まれないため無駄なデータ送信も減らす事ができる技術を提供することを目的とする。【解決手段】端末装置１は、映像・音声データを持つビデオメールに対しビデオメール再生期間中に再生ビデオメールを見る視聴者の様子を撮影し録画・録音するための再生区間情報を付加させる手段と、ビデオメールを受信し再生中にビデオメールに付加されていた再生区間情報に従い、指定再生区間のみビデオメール視聴者の様子を録画・録音を行い、ビデオメール再生終了時に録画・録音したビデオメール視聴者の様子を記録したデータをビデオメールとしてビデオメール送信者に返信する手段とを有する。【選択図】図３
2010124404.tif 000002
【特許請求の範囲】
【請求項１】
ネットワークを介して相互接続される端末装置間で、映像・音声データをやり取りする端末装置において、
前記映像・音声データに対し当該映像・音声データの再生中に当該映像・音声データの視聴者の様子を撮影することに用いる再生区間情報を付加する手段と、
前記映像・音声データの再生中に当該映像・音声データに付加された再生区間情報が示す再生区間における視聴者の様子を撮影し、当該撮影したデータを前記映像・音声データの送信者に返信する手段とを有することを特徴とする端末装置。
【請求項２】
請求項１記載のビデオメール端末装置であって、ビデオメールに付加している再生区間情報に従い再生ビデオメールを見る視聴者の様子を撮影し録画・録音したデータと同一再生区間で再生したビデオメールの映像・音声のデータを合成して作成し、作成したデータをビデオメールとしてビデオメール送信者に返信する手段を有することを特徴とするビデオメール端末装置。
【請求項３】
請求項１、または請求項２記載のビデオメール端末装置であって、ビデオメールに付加している再生区間情報に従い再生ビデオメールを見る視聴者の様子を撮影し録画・録音を開始する前に一度ビデオメールの再生を一時停止し、ビデオメールを見る視聴者に録画・録音を開始することを通知し、視聴者の受け入れ操作を受けてからビデオメールの再生再開と視聴者の様子を撮影し録画・録音を開始する手段を有することを特徴とするビデオメール端末装置。
【請求項４】
ネットワークを介して相互接続される端末装置間で、映像・音声データをやり取りするビデオメール通信方法において、
一つの前記端末装置が、前記映像・音声データに対し当該映像・音声データの再生中に当該映像・音声データの視聴者の様子を撮影することに用いる再生区間情報を付加して他の前記端末装置に送信するステップと、
前記他の端末装置が、前記再生区間情報を付加したビデオメールを受信し前記映像・音声データの再生中に当該映像・音声データに付加された再生区間情報が示す再生区間における視聴者の様子を撮影し、当該撮影したデータを前記一つの端末装置に返信するステップとを有することを特徴とするビデオメール通信方法。
【発明の詳細な説明】
【技術分野】
【０００１】
本発明は、映像・音声を用いたコミュニケーション方式であるビデオメールにおける端末装置及び通信方法に関し、特に、そのビデオメールの視聴に対する視聴者の様子を録画・録音して返信する技術に関するものである。
【背景技術】
【０００２】
近年、ネットワークのブロードバンド化は進み、ＡＤＳＬ（Ａｓｙｍｍｅｔｒｉｃ  Ｄｉｇｉｔａｌ  Ｓｕｂｓｃｒｉｂｅｒ  Ｌｉｎｅ）からＦＴＴＨ（Ｆｉｂｅｒ  Ｔｏ  Ｔｈｅ  Ｈｏｍｅ）へインフラの普及は進んでいる。ネットワークのデータ伝送の高速化に伴いテキストを用いていたコミュニケーションにデジタル写真データを添付することが可能になり、いまや映像・音声を用いたビデオメールのやり取りが容易に行える環境が構築されている。
【０００３】
テキストやデジタル写真を用いたコミュニケーションは、いわゆるメールとしてのやり取りであり非同期型のコミュニケーション方式である。同方式を用いたコミュニケーションは、テキストやデジタル写真を見た相手が文章で感想を書いて返信することで成り立ち、テキスト文章を読んだ時やデジタル写真を見た瞬間の感情や気持ちの伝搬には不十分である。
【０００４】
非同期型のコミュニケーション方式でありながら映像・音声を用いたビデオメールを用いれば、相手に伝えられる情報量は多く、その内容に関する返信に期待する部分は多くある。ただし、同期型のＴＶ電話などと違い、リアルタイムのリアクションを得ることが出来ないばかりか、ビデオメールを見た後に作成される返信ビデオメールはリアルタイム性に欠け、瞬間的で感情的なリアクションの内容は期待できないばかりか、ビデオメールに対する返信がテキストの文章になる可能性も十分ある。
【０００５】
ビデオメールを視聴する様子を撮影し録画・録音して返信するための発明については公開されている。
【０００６】
例えば、特許文献１に記載の「ビデオメール通信方式／プログラム／端末装置」では、ビデオメールの再生と同時に視聴者の様子を録画し続ける方法が記載されている。更に再生途中にメッセージ映像・音声を挿入する事が可能であり、映像・音声とともにメッセージ録画が行われたビデオメールの再生停止位置・区間やメッセージ録画時間の情報を保持してビデオメール送信元に送り、再生制御をさせる発明である。
【特許文献１】特開２００５−１４２８１８号公報
【発明の開示】
【発明が解決しようとする課題】
【０００７】
しかしながら、特許文献１に記載された視聴者を撮影し録画・録音する方式では、ビデオメールの視聴者はビデオメール視聴中の様子を全て録画されてしまうため、気楽にビデオメールの再生が出来ないばかりか、メッセージの挿入機能があるために視聴中に再生を一時停止し、メッセージを考えてメッセージの挿入操作を行う必要が出てくる。
【０００８】
また、ビデオメールを送信した端末装置は、ビデオメールに対する視聴者の視聴中の様子やメッセージが含まれたビデオメールが返信されてきた場合には、送信ビデオメールと返信されたビデオメールを同時に再生する必要があるばかりか、メッセージが挿入された区間では、ビデオメールの一時停止処理や再開処理などを時間情報などを元に適時行わなくてはならないというプログラム処理が必要になる。
【０００９】
送信するビデオメールの中で特に視聴した相手のリアクションを確認したいと思う特定区間があった場合、その部分だけでもリアルタイムな映像・音声を返信ビデオメールで確認する方式は非常にリアルタイム性を持ったコミュニケーション技術である。
【００１０】
本発明の目的は、ビデオメール送信者が特に視聴者の視聴中の様子を録画・録音する（以後、リアクション録画と記す）区間に関する情報を付加してビデオメールを送り、ビデオメール再生時のリアクション録画の実行区間を限定するので、ビデオメールの視聴者が視聴様子を常時録画されることの緊張感を和らげるとともに、ビデオメール送信者も必要部分だけのリアクションビデオメールの返信を受け取ることを可能にすることである。
【課題を解決するための手段】
【００１１】
上記目的を達成するため、本発明のビデオメール端末装置は、ネットワークを介して相互接続される端末装置間で、映像・音声データをやり取りする端末装置において、前記映像・音声データに対し当該映像・音声データの再生中に当該映像・音声データの視聴者の様子を撮影することに用いる再生区間情報を付加する手段と、前記映像・音声データの再生中に当該映像・音声データに付加された再生区間情報が示す再生区間における視聴者の様子を撮影し、当該撮影したデータを前記映像・音声データの送信者に返信する手段とを有することを特徴とする。
【００１２】
さらに本発明のビデオメール端末装置は、ビデオメールに付加している再生区間情報に従い再生ビデオメールを見る視聴者の様子を撮影し録画・録音したデータと同一再生区間で再生したビデオメールの映像・音声のデータを合成して作成し、作成したデータをビデオメールとしてビデオメール送信者に返信する手段を有することを特徴とする。
さらに本発明のビデオメール端末装置は、ビデオメールに付加している再生区間情報に従い再生ビデオメールを見る視聴者の様子を撮影し録画・録音を開始する前に一度ビデオメールの再生を一時停止し、ビデオメールを見る視聴者に録画・録音を開始することを通知し、視聴者の受け入れ操作を受けてからビデオメールの再生再開と視聴者の様子を撮影し録画・録音を開始する手段を有することを特徴とする。
【００１３】
また、本発明のビデオメール通信方法は、ネットワークを介して相互接続される端末装置間で、映像・音声データをやり取りするビデオメール通信方法において、一つの前記端末装置が、前記映像・音声データに対し当該映像・音声データの再生中に当該映像・音声データの視聴者の様子を撮影することに用いる再生区間情報を付加して他の前記端末装置に送信するステップと、前記他の端末装置が、前記再生区間情報を付加したビデオメールを受信し前記映像・音声データの再生中に当該映像・音声データに付加された再生区間情報が示す再生区間における視聴者の様子を撮影し、当該撮影したデータを前記一つの端末装置に返信するステップとを有することを特徴とする。
【発明の効果】
【００１４】
以上説明したように本発明によれば、送信者が求めるビデオメール再生区間だけのリアクション録画を行う事ができるため、リアクション録画を求められるビデオメール視聴者の撮影に関する緊張区間を限定でき、またリアクション録画を求める以外の再生区間の映像・音声はリアクションビデオメールに含まれないため無駄なデータ送信も減らす事ができる。さらにリアクションビデオメールの再生方法も通常のビデオメールの再生方法と変わらないことから端末装置の汎用性が高いビデオメール端末装置及びビデオメール通信方法とすることができる。
【発明を実施するための最良の形態】
【００１５】
本発明では、ビデオメールに送信者がリアクション録画を行いたい再生区間の情報を付加してきた場合、受信したビデオメール再生中において、付加されている再生区間の間だけリアクション録画区間として視聴者の様子を撮影し、映像・音声を保存するとともにビデオメール再生終了時にリアクションビデオメールとして送信者に返信する処理を設けている。また、リアクション録画で作成するリアクションビデオメールは視聴者の様子を撮影した映像・音声だけで構成する場合や、受信し再生しているビデオメールの映像・音声と合成してリアクションビデオメール内にビデオメールと視聴者の様子が同時に表示されるようにする方式も提案している。
【００１６】
以上により、ビデオメール送信者の意図した再生区間のみのリアクション録画が行うことができ、ビデオメールを受信して再生する視聴者が視聴様子を録画されるという緊張区間の制御を可能にしている。また、ビデオメール送信者は返信されたリアクションビデオメールを通常のビデオメールと変わらない方法で再生することができ、リアクションのみの映像・音声を確認できる方式やビデオメールと視聴者の様子を撮影した映像・音声を合成したリアクション映像・音声を確認することも可能である。
【００１７】
以下、本発明の実施の形態を図面に基づいて詳細に説明する。
【実施例１】
【００１８】
（実施の形態１）
図１は本発明の実施の形態１によりビデオメールの再生、リアクション録画を行うことができる装置端末（端末装置）の構成を示している。
【００１９】
図１において装置端末１は、映像・音声制御部１０、映像・音声エンコーダ１１、通信制御部１２、表示制御部１３、映像・音声デコーダ１４、記憶装置１５、入力部１６、ＣＰＵ１７から構成され、映像・音声制御部１０にはカメラ・マイク１８が接続され、表示制御部１３にはモニタ・スピーカー１９が接続され、通信制御部１２はネットワーク２０と接続して構成している。
【００２０】
本実施の形態の装置端末１は、受信したビデオメールの映像・音声をデコードしてモニタ・スピーカーに映像や音声を出力し、カメラ・マイクで取得した映像・音声をエンコードして保存し、ビデオメールとして送信することが可能である。
【００２１】
ビデオメールの映像・音声データと付随する情報はネットワーク２０を経由して、通信制御部１２の制御のもと装置端末１内に取り込まれる。ビデオメールの映像・音声データは映像・音声デコーダ１４によって復号され、表示制御部１３を介してモニタ・スピーカー１９に出力されることで映像と音声が出力される。
【００２２】
また、リアクション録画はカメラ・マイク１８からの映像と音声情報が映像・音声制御部１０を経由して、映像・音声エンコード１１でリアクションビデオメールとしてデータ化され、記憶装置１５に保存された後、通信制御部１２を介しネットワーク２０を経由してビデオメール送信元にリアクションビデオメールとして送信される。一連の処理制御の統制はＣＰＵ１７にて行われる。
【００２３】
次に、本実施の形態の一例をソフトウエアの基本的な処理を用いて説明をする。
【００２４】
図２は、ビデオメールに付加するリアクション録画を行う再生区間に関する情報を示している。開始時間２１はビデオメールの再生時間内のリアクション録画を開始する時間を示し、終了時間２２はリアクション録画の終了する時間を示している。Ｓ１０００はビデオメール再生中の再生時間０：００：５０から０：０１：１０の間でリアクション録画を行うように指示している部分であり、Ｓ１００１は再生時間の０：０２：３０から０：０２：５０の間でリアクション録画を行うことを示している。
【００２５】
図３はビデオメール再生とリアクション録画のソフトウエア的な動作概念を示すフローである。以下に説明するソフトウエアの処理はＣＰＵ１７によって図１に示した各制御部を制御することで実現している。各処理ステップについて説明する。
【００２６】
ステップ３０は、取得したビデオメールを映像・音声デコーダ１４、表示制御部１３を用いて、復号した映像・音声情報をモニタ・スピーカー１９に出力して、ビデオメールの再生を行う処理である。
【００２７】
ステップ３１は、再生を開始したビデオメールの再生時間が図２のＳ１０００やＳ１００１で示された再生区間に相当するかチェックする部分である。
【００２８】
ステップ３２は、再生をしているビデオメールの再生時間が図２のＳ１０００やＳ１００１で示された再生区間外に相当するかチェックする部分である。
【００２９】
ステップ３３は、再生しているビデオメールが再生終了時間、つまりビデオメールの最後まで再生したかをチェックする部分であり、最後まで再生した場合には再生を終了する。
【００３０】
ステップ３４は、録画したリアクション映像・音声をリアクションビデオメールとして保存している記憶装置１５から読み出して、通信制御部１２を介してネットワーク２０経由で送信元に返信する。
【００３１】
ステップ３５は、リアクション録画を開始していない場合は、カメラ・マイク１８からの映像・音声を映像・音声制御部１０経由で映像・音声エンコーダ１１でエンコードし、記憶装置１５に保存を開始する事で、リアクション録画の処理を始める。すでにリアクション録画を開始している時は、特に処理は行わない。
【００３２】
ステップ３６は、リアクション録画中であれば、リアクション録画を停止する処理を行う。
【００３３】
本発明の具体的な動作について、図を用いて説明をする。
【００３４】
まず、端末装置１において、受信するビデオメールのデータは通信制御部１２の制御のもと、ネットワーク２０を介して、ストリーミング形式あるいは記憶装置１５に保存して取得する。端末装置１を操作するユーザは図示していないキーボード、マウス、リモコンなどを操作し、その情報は入力部１６を介してＣＰＵ１７に伝えられる。ユーザの操作によってビデオメールの再生が指示された場合、ステップ３０において通信制御部１２あるいは記憶装置１５から取得するビデオメールの映像・音声データを映像・音声デコード１４に入力する。映像・音声デコード１４では、入力したデータをデコードし表示制御部１３に出力する。表示制御部１３は入力したデコード済み映像・音声データをモニタ・スピーカー１９に出力すると、モニタ・スピーカー１９ではモニタにて映像を表示し、スピーカーにて音声の出力を行う。以上によりビデオメールが再生され、視聴者がビデオメールを視聴可能な状態になる。
【００３５】
ビデオメールの再生が開始されると、次にステップ３１にて再生時間がリアクション録画区間内かチェックを行う。ビデオメールの現在の再生時間を図２のＳ１０００やＳ１０００１の開始時間２１と終了時間２２で示すリアクション録画区間内に位置するか判定を行い、リアクション録画区間内で無い場合にはステップ３２へ、区間内の場合はステップ３５へ処理を進める。
【００３６】
ステップ３５では、すでにリアクション録画を開始している場合は特に処理は行わないでステップ３２へ処理を進める。リアクション録画を開始していない場合は、リアクション録画を開始し記憶装置１５への保存を開始し、ステップ３２へ処理を進める。
【００３７】
ステップ３２では、ビデオメールの現在の再生時間が図２のＳ１０００やＳ１００１の開始時間２１と終了時間２２で示すリアクション録画区間外に位置するか判定を行い、リアクション録画区間内であればステップ３３へ、リアクション録画区間外の場合はステップ３６へ処理を進める。
【００３８】
ステップ３６では、リアクション録画をしていない状態であれば特に処理を行わないでステップ３３へ処理を進める。リアクション録画中であった場合は、リアクション録画を終了しステップ３３へ処理を進める。
【００３９】
ステップ３３では、ビデオメールの再生がビデオメールの終了時間にまで達したかチェックを行い、終了時間に達していなければ処理をステップ３１に戻しリアクション録画区間のチェックを継続させ、終了時間に達した場合はビデオメール自体の再生を終了してステップ３４へ処理を進める。
【００４０】
上記のステップ３１およびステップ３２の判定とステップ３５とステップ３６のリアクション録画開始・終了処理の結果、図２で示すＳ１０００やＳ１００１のリアクション録画区間のみ、カメラ・マイク１８を介したビデオメール視聴者の様子に関する映像・音声をリアクションビデオメールとして録画することができる。図４では、ビデオメールが３分の再生時間を持つ場合、図２で示したＳ１０００のリアクション録画区間では図４の録画区間４０、Ｓ１００１のリアクション録画区間では録画区間４１がリアクションの映像・音声として録画されることを示している。
【００４１】
次にステップ３４では、録画されたリアクション映像・音声が記憶装置１５に保存されていれば、送信元にリアクションビデオメールとして送信し処理を終了する。
【００４２】
以上説明したように、ビデオメールの送信時に図２に示すＳ１０００やＳ１００１のリアクション録画区間の情報を付加し、ビデオメールを受信する端末装置１がビデオメール再生とリアクション録画を実行し、リアクションビデオメールを返信する処理をすることで特定区間だけのリアクション録画を行い、リアクションビデオメールが返信されることが可能となる。
【００４３】
なお、本実施の形態１では、ビデオメールの視聴者にリアクション録画のタイミングを知らせていないが、端末装置１にリアクション録画を知らせる部位、例えばＬＥＤなどがある場合は光らせても良いし、モニタの画面上にリアクション録画に関する情報を表示してもかまわない。
【実施例２】
【００４４】
（実施の形態２）
実施の形態１ではビデオメール視聴者の様子のみを録画した映像・音声がリアクションビデオメールとして返信されるが、本実施の形態２では、ビデオメールとビデオメール視聴者の様子を録画した映像・音声が合成されたリアクションビデオメールが返信される方式について説明する。
【００４５】
実施の形態１の図１の端末装置１を用い、図２のリアクション録画区間の情報には図５の情報を採用し、図３の動作概念を示したフローには図６を使用する。
【００４６】
図５に示すリアクション録画区間を示す情報は、実施の形態１で使用した図２の開始時間２１、終了時間２２の情報に加え、メイン映像２３とサブ映像２４の情報が増えている。メイン映像２３が示す情報はリアクション録画で画面全体に使用する映像ソースに関する情報であり、「ビデオ」はビデオメール映像を示し、「リアクション」は視聴者の様子を録画した映像を用いる事を示している。サブ映像２４が示す情報は合成する映像の画面上での配置位置を示しており、例えば「左上」と示されていれば画面左上の１／４程度の領域に映像を合成する事を示している。メイン画像２３で「ビデオ」が示されている場合は、サブ映像２４で示される映像領域に合成される映像は「リアクション」のものとなる。逆にメイン画像２３に「リアクション」が示されれば、サブ映像２４の映像領域には「ビデオ」の映像が合成される。
【００４７】
図６で示される動作概念を示したフローで、実施の形態１と異なるのはステップ３５の処理がステップ６０の処理に変更されるのみである。
【００４８】
ステップ６０の処理に付いて説明する。
【００４９】
ステップ６０は、すでにリアクション録画を開始している場合は特に処理は行わないでステップ３２へ処理を進める。リアクションン録画を開始していない場合は、映像・音声エンコーダ１１は映像・音声デコーダがデコードしたビデオメールの映像・音声と、カメラ・マイク１８から映像・音声制御部１０が取得した映像・音声を合成してからエンコードして、記憶装置１５に保存を開始する。
【００５０】
ここで、図５で示すＳ２０００の情報を元にリアクション録画を開始する場合、映像・音声エンコーダ１１に対して図７に示すビデオメール映像７０とリアクション映像７１が入力され、メインの映像に「ビデオ」、サブの映像には「リアクション」が採用されるとともに「左上」に配置されるように制御するので、リアクションビデオメールとして生成される映像は７２に示すようなものとなる。
【００５１】
また、図５で示すＳ２００１の情報を元にリアクション録画を開始する場合、メインの映像が「リアクション」、サブの映像には「ビデオ」が採用されるとともに「右上」に配置されるように制御するので、リアクションビデオメールとして生成される映像は７３に示すようなものとなる。
【００５２】
以上説明したように、実施の形態１の図２の情報にメイン映像２３とサブ映像２４を追加した図５の情報を使用し、図３のステップ３５をステップ６０に変更した図６の動作概念フローを使用することで、ビデオメール映像・音声とリアクション映像・音声が合成されたリアクションビデオメールが生成され、返信されるようになる。
【００５３】
この結果、ビデオメール送信者は指定したリアクション録画区間での視聴者の様子を録画した映像・音声と、同一区間のビデオメールの映像・音声を同時に見ることができるようになる。
【実施例３】
【００５４】
（実施の形態３）
実施の形態１ではリアクション録画の開始を図２のＳ１０００やＳ１００１の時間情報に添って自動的に開始したが、本実施の形態３では、リアクション録画を視聴者の入力操作を受けてから開始する方式について説明する。
【００５５】
実施の形態１の図１の端末装置１を用い、図３の動作概念を示したフローには図８を使用する。
【００５６】
図８で示される動作概念を示したフローで、実施の形態１と異なるのはステップ３５の処理がステップ８０の処理に変更されるのみである。
【００５７】
ステップ８０の処理に付いて説明する。
【００５８】
ステップ８０は、すでにリアクション録画を開始している場合は特に処理は行わないでステップ３２へ処理を進める。リアクションン録画を開始していない場合は、ビデオメールの再生を一時停止し表示制御部１３を用いてモニタ・カメラ１３のモニタ画面上に「リアクション録画を開始します」と表示させる（図９の表示９０）。その後、図示していないキーボード、マウス、リモコンなどからの入力操作を入力部１６より取得し、操作があればビデオメール再生の再開と、カメラ・マイク１８からの映像・音声を映像・音声制御部１０経由で映像・音声エンコーダ１１でエンコードし、記憶装置１５に保存を開始する事で、リアクション録画の処理を始める。
【００５９】
なお、ここで、リアクションン録画を開始する場合に、表示制御部１３を用いてモニタ・カメラ１３のモニタ画面上に「リアクション録画しますか」と表示させて、「する」「しない」の選択を視聴者の入力操作により行わせて、「しない」を選択した場合は、リアクションン録画をしないようにさせる制御を行うことも可能である。
【００６０】
以上説明したように、実施の形態１の図３のステップ３５をステップ８０に変更した図８の動作概念フローを使用することで、リアクション録画を開始する直前にビデオメール再生を一時停止し、視聴者の入力操作を待ってからリアクション録画を開始することができるようになる。
【００６１】
この結果、ビデオメールの視聴者はリアクション録画の開始を明確に知ることができるだけでなく、リアクション録画に対して準備する事ができるようになる。
【図面の簡単な説明】
【００６２】
【図１】本発明の実施の形態１によるビデオメール再生・リアクション録画を行う端末装置の構成図である。
【図２】本発明の実施の形態１でリアクション録画を行う区間を示す時間情報である。
【図３】本発明の実施の形態１でリアクション録画を行うための装置端末の動作を示すフローチャートである。
【図４】本発明の実施の形態１でリアクション録画が行われる区間を示す説明図である。
【図５】本発明の実施の形態２でリアクション録画を行う区間を示す時間情報である。
【図６】本発明の実施の形態２でリアクション録画を行うための装置端末の動作を示すフローチャートである。
【図７】本発明の実施の形態２でビデオメールとリアクションの映像合成を説明する図である。
【図８】本発明の実施の形態３でリアクション録画を行うための装置端末の動作を示すフローチャートである。
【図９】本発明の実施の形態３でリアクション録画の開始を知らせる説明図である。
【符号の説明】
【００６３】
１０・・・映像・音声制御部、１１・・・映像・音声エンコーダ、１２・・・通信制御部、１３・・・表示制御部、１４・・・映像・音声デコーダ、１５・・・記憶装置、１６・・・入力部、１７・・・ＣＰＵ、１８・・・カメラ・マイク、１９・・・モニタ・スピーカー。
【図１】
2010124404.tif 000003
【図２】
2010124404.tif 000004
【図３】
2010124404.tif 000005
【図４】
2010124404.tif 000006
【図５】
2010124404.tif 000007
【図６】
2010124404.tif 000008
【図７】
2010124404.tif 000009
【図８】
2010124404.tif 000010
【図９】
2010124404.tif 000011